(57)【特許請求の範囲】
【請求項１】
局部洗浄用のノズルと、該ノズルに加熱した洗浄水を供給する洗浄水供給系と、前記洗浄水供給系からの洗浄水の供給を指示する操作手段と、前記操作手段が操作されて経過する経過時間を計時する第１のタイマー手段と、前記洗浄水供給系による洗浄水の温度を検出する洗浄水温度検出手段と、前記経過時間が所定の第１監視時間内において、前記洗浄水温度が所定の第１閾値温度を超えたときから計時を開始する第２のタイマ手段と、前記第２のタイマ手段が所定の第２監視時間に達した時点で前記洗浄水温度が所定の第１閾値温度以下であった時に前記第２のタイマ手段の計時をリセットするリセット手段と、前記第２のタイマ手段による計時時間が所定の第２監視時間に達した時点で前記洗浄水温度が所定の第１閾値温度以上であった時に前記洗浄水供給系から系外への吐水を停止させる吐水停止手段とからなる衛生洗浄装置。
【請求項２】
前記経過時間が前記監視時間内において、前記継続時間内に前記第１閾値温度よりも高温側に設定された第２閾値温度が前記洗浄水温度検出手段によって検出されると、前記吐水停止手段によって前記ノズルからの洗浄水の吐水を停止させる系としてなる請求項１記載の衛生洗浄装置。
【請求項３】
前記経過時間が前記監視時間を超えたときは、前記継続時間の前記所定値を異なる値に変更してなる請求項１記載の衛生洗浄装置。
【請求項４】
前記洗浄水供給系は、前記ノズルから局部へ向けての洗浄吐水開始前において、便器本体もしくは前記ノズルに向けて洗浄水を排出する系を備えてなる請求項１から３のいずれかに記載の衛生洗浄装置。
【発明の詳細な説明】
【０００１】
【産業上の利用分野】
本発明は、局部洗浄機能を備えた衛生洗浄装置に係り、特に局部洗浄の開始初期での無用な機能ロックによる洗浄水供給の停止を避けるようにした構成に関する。
【０００２】
【従来の技術】
腰掛け式の水洗便器に付設して使用される局部洗浄用の衛生洗浄装置は、外部から供給した水を加熱して温水として洗浄ノズルから噴出させるというものがその基本的な構成である。そして、水の加熱手段としては、貯湯式の温水タンクや瞬間湯沸かし式の熱交換器等が用いられ、洗浄ノズルからの洗浄水が最適温度となるように、温水温度に関しての制御がきめ細かく行われる仕様としたものが一般的である。
【０００３】
このような衛生洗浄装置において、近来では、一般家庭向けのものの他にたとえばホテル等ではユニットバスにも組み込まれるようになった。このユニットバス仕様のものとしては、たとえば本出願人が提案して特開平２−１９７６３３号公報に記載されたものがある。
【０００４】
このホテル等でのユニットバス仕様のものでは、集中管理システムによる給湯が行われるため、貯湯式の温水タンクや熱交換器を備えるのに代えて、外部からの給水と給湯の配管に接続した湯水混合栓が利用されている。そして、先の公報に記載のように、この湯水混合栓としては給湯温度の変動等に対応して混合水の温度を常に設定した温度に安定させるサーモスタットミキシングバルブが活用されている。
【０００５】
このサーモスタットミキシングバルブは、内蔵した弁体の軸線方向の移動を利用して湯と水の混合比を変える機構を備えると共に、混合水の温度が高くなるほど湯の量比を小さくする向きに弁体を動かす感温体を設けた構成を持つ。そして、予め感温体と弁体との関係を調整して、洗浄ノズル側への混合水の温度が適正値（たとえば３７．５℃程度）となるようにすることで、常にこの温度での洗浄を可能としたものである。
【０００６】
また、一般の洗浄ノズルでも行われているように、洗浄初期では洗浄ノズルまでの流路に残っていた洗浄水が冷えるので、洗浄開始から或る時間が経過して適正温度となるまで捨湯するシステムも組み込まれている。
【０００７】
【発明が解決しようとする課題】
ところが、衛生洗浄装置周りの環境温度が低いときに長い時間放置したままで使用しない場合、サーモスタットミキシングバルブの中の混合水は、新たな給湯がないので次第に温度低下していく。このため、感温体は弁体がその湯側の流路を開く向きに作動するようになり、最終的には湯側流路を全開にしてしまうことにもなる。
【０００８】
この状態で洗浄を始めると、捨湯が先行して行われるものの、湯側が全開となっていることからたとえば混合水の温度検知系によって４５〜５５℃程度の温度が検知されることがある。
【０００９】
一方、衛生洗浄装置では、洗浄水が異常高温になったとき等には、その吐出を停止させリセット動作（電源切入）が行われない限り洗浄操作を受付けを阻止するロックシステムが安全機能として採用される。
【００１０】
このため、環境温度が低くて使用するインターバルが長いような場合では、先の理由によって頻繁にロックされることになる。したがって、実際に使用するときに、作動しないままとなって使い勝手に大きな影響を与えてしまう。
【００１１】
本発明において解決すべき課題は、局部洗浄の初期の過程で洗浄水が好適上限温度を超えてもこれを定常温度までの過渡期での温度変動と見做す操作によって無用な機能ロックの頻発をなくすことにある。
【００１２】
【課題を解決するための手段】
本発明は、局部洗浄用のノズルと、該ノズルに加熱した洗浄水を供給する洗浄水供給系と、前記洗浄水供給系からの洗浄水の供給を指示する操作手段と、前記操作手段が操作されて経過する経過時間を計時する第１のタイマー手段と、前記洗浄水供給系による洗浄水の温度を検出する洗浄水温度検出手段と、前記経過時間が所定の第１監視時間内において、前記洗浄水温度が所定の第１閾値温度を超えたときから計時を開始する第２のタイマ手段と、前記第２のタイマ手段が所定の第２監視時間に達した時点で前記洗浄水温度が所定の第１閾値温度以下であった時に前記第２のタイマ手段の計時をリセットするリセット手段と、前記第２のタイマ手段による計時時間が所定の第２監視時間に達した時点で前記洗浄水温度が所定の第１閾値温度以上であった時に前記洗浄水供給系から系外への吐水を停止させる吐水停止手段とからなることを特徴とする。
【００１３】
また、このような構成において、前記経過時間が前記監視時間内において、前記継続時間内に前記第１閾値温度よりも高温側に設定された第２閾値温度が前記洗浄水温度検出手段によって検出されると、前記吐水停止手段によって前記ノズルからの洗浄水の吐水を停止させる系を備えることができる。
【００１４】
更に、前記経過時間が前記監視時間を超えたときは、前記継続時間の前記所定値を異なる値に変更してなるものとすることもできる。
【００１５】
また、洗浄水供給系は、ノズルから局部へ向けての洗浄吐水開始前において、便器本体もしくはノズルに向けて洗浄水を排出する系を備えたものとすることもできる。
【００１６】
【作用】
洗浄水温度の変動によって設定温度よりも高いか低いかの状態が所定時間以上続くとき、温度が設定温度よりも高い場合には過熱気味となるので、これを避けるために吐水停止温度を閾値として洗浄水の供給が停止される。
【００１７】
一方、洗浄の開始初期や設定温度の変更時等であって洗浄水温度が設定温度まで定常化していく過渡期でも、洗浄水温度の変動によって設定温度よりも高いか低いかの非定常な状態が続く。この場合、吐水停止温度による第１の閾値設定に対し、これよりも高い第２の閾値を設定すれば、過渡期での比較的安定性のない温度変動に対していちいちロックモードに陥る度合いが少なくなる。
【００１８】
したがって、局部洗浄の過渡期では、洗浄水の温度変動があっても、これが次第に設定温度に定常化していくという可能性を見越した洗浄水の制御が可能となる。
【００１９】
【実施例】
図１は本発明の衛生洗浄装置を水洗式便器に付設した例を示す図である。
【００２０】
図において、便器本体５０に固定した衛生洗浄装置のケーシング１には、便座１ａ及び便蓋１ｂを開閉自在に取り付け、ノズル装置の駆動や洗浄水の供給等の操作のための操作盤２を側部に備えている。
【００２１】
図２はケーシング１の内部機構を示す概略図である。
【００２２】
ケーシング１の内部には、外部からの給水管及び給湯管（図示せず）に接続されるサーモスタットミキシングバルブ３を備え、その下流には流路を２系統に分けてそれぞれ吐水用バルブユニット４及び捨湯用バルブユニット５を接続する。これらの吐水用及び捨湯用バルブユニット４，５は、いずれも流路を開閉する吐水用電磁弁４ｃ及び捨湯用電磁弁５ｃや逆止弁等を組み込んだものである。
【００２３】
ケーシング１の中央部にはノズルハウジング６を配置し、その基端部に連接したノズルモータ６ａによって伸縮ノズル６ｂをノズルハウジング６から出没動作可能とする。そして、ノズルハウジング６には吐水用バルブユニット４から洗浄水供給管４ａを介して後述するニードル弁により流量調整された洗浄水の供給管６ｃを接続する。この供給管６ｃはノズルハウジング６の先端部に連通し、洗浄前に伸縮ノズル６ｂの表面を洗い流す前洗浄を行なうと共に、伸縮ノズル６ｂがその洗浄位置に到達したときにはこれに連通して洗浄水を供給可能とする。
【００２４】
また、捨湯用バルブユニット５には排出管５ａを接続し、その流路端を伸縮ノズル６ｂに沿って位置する２本の捨湯管５ｂを便器本体５０のボール部に向けて配置する。
【００２５】
洗浄水の温度や伸縮ノズル６ｂの作動及び捨湯のタイミングや時間幅等はケーシング１内に配置したコントローラ７によって全て制御される。そして、このコントローラ７は便座１ａに人が着座している間のみ機能部が作動し、人が便座１ａから離れるとオフ操作しないでも機能部を停止させる着座スイッチ７ａを備えたものである。この着座スイッチ７ａは、たとえば便座１ａに圧力検知型の着座センサやケーシング１の前面側から赤外線を投光する赤外線センサ等からの信号を受けてコントローラ７に信号を入力する。
【００２６】
伸縮ノズル６ｂの作動及び停止は、操作盤２に設けた２種類の洗浄スイッチ２ａ，２ｂ及び停止スイッチ２ｃによって行なう。これらのスイッチ２ａ〜２ｃによる操作をしたとき、コントローラ７によって伸縮ノズル６ｂの伸出や収納及び吐水用，捨湯用バルブユニット４，５の作動が制御される。
【００２７】
また、操作盤２には伸縮ノズル６からの洗浄水の噴出力を変えるための回転式の水勢調節摘み２ｄを設ける。この水勢調節摘み２ｄはニードル弁１１に連接され、その回転角度によって流路面積を変更することにより、伸縮ノズル６ｂからの洗浄水の水勢を調節することが可能である。
【００２８】
更に、操作盤２には、作動状況を表示するためのＬＥＤを利用した表示灯２ｆを設ける。この表示灯２ｆは、たとえば赤のＬＥＤと緑のＬＥＤを備え、機能部の表示又は作動状態を色分けしてそれぞれ表示可能としたものである。
【００２９】
図３はサーモスタットミキシングバルブ３からの洗浄水の流れの系を示す概略図である。
【００３０】
サーモスタットミキシングバルブ３から吐水用及び捨湯用バルブユニット４，５の間の流路には、通過する温水の温度を検知するための温度センサ８を組み込む。この温度センサ８は、たとえば温度によって抵抗値が変わるサーミスタを利用したもので、検知された温度に関しての信号をコントローラ７に入力する。そして、サーモスタットミキシングバルブ３から出た温水の温度を検知することによって、捨湯用バルブユニット５による捨湯過程がコントローラ７によって制御され、この捨湯が完了した時点で伸縮ノズル６ｂによる洗浄過程へと移行するように制御する。
【００３１】
なお、ニードル弁１１は、伸縮ノズル６ｂへの流路とは別に、吐水用バルブユニット４から供給管４ａを介して流入する水量に対し伸縮ノズル６ｂに供給する水量がニードル弁１１によって絞られたときにその一部を便器本体５０のボール部に排出するための捨水管４ｂを接続する。
【００３２】
ここで、伸縮ノズル６ｂによって洗浄するときには、まずサーモスタットミキシングバルブ３から供給される温水の温度を温度センサ８によって検知しながら捨湯用バルブユニット５によって捨湯を継続する。そして、温水温度が適正定常温度に達して安定した時点で、吐水用バルブユニット４から伸縮ノズル６ｂに洗浄水を供給する。以下、捨湯過程から洗浄過程までに行われる制御を順に説明する。
【００３３】
図４は人が便座１ａに座った後の捨湯過程の開始から終了までの間の捨湯用電磁弁５ｃの動作と温度センサ８による検知温度の推移等とを合わせて示す図である。
【００３４】
人が便座１ａに座ると着座スイッチ７ａがオンしてコントローラ７に信号が入力され、これによって捨湯用バルブユニット５の捨湯用電磁弁５ｃが開くと同時に表示灯２ｆの緑のＬＥＤが点滅し、捨湯中であることを使用者に知らせる。
【００３５】
一方、捨湯の開始時刻では、たとえば環境温度が３０℃程度以下であるとき、サーモスタットミキシングバルブ３に残っている温水も３０℃以下に冷えている。したがって、サーモスタットミキシングバルブ３では、弁体が湯側を開く方向に感温体が移動させているので、図中の湯温は捨湯の開始時期から次第に上昇していき、その後洗浄に適切な定常温度へと変化していく。
【００３６】
この例では、温度センサ８によって湯温が３２．５℃が検出された後には、温度の読み込みを１秒周期で行ってモニタしていき、温度変動が２．１ｄｅｇの範囲内に連続する４秒の間で検出されたときに定常温度に達したと判断し、コントローラ７によって捨湯用バルブユニット５が閉じると同時に表示灯２ｆの点滅もなくなって、捨湯過程が終了する。
【００３７】
この捨湯過程では、温度センサ８によって４５℃以上の湯温が検知されても、湯温が洗浄に適切な温度となってこれが定常化されるまで捨湯が継続され、捨湯過程の中途で洗浄機能がロックされることはない。また、この捨湯の期間では、洗浄スイッチ２ａ，２ｂを押してもこれは受け付けられない制御とすることによって、吐水用バルブユニット４が開弁したり伸縮ノズル６ｂが伸出動作したりすることもない。
【００３８】
図５は洗浄スイッチ２ａ（又は２ｂ）をオンした後に、伸縮ノズル６ｂをクリーニングのために前洗浄するときの湯温と吐水用電磁弁４ｃの制御のパターンを示す図である。
【００３９】
この各パターンでは、洗浄スイッチ２ａをオンした後には吐水用バルブユニット４が流路を開き、供給管６ｃから伸縮ノズル６ｂの先端表面に洗浄水を浴びせて前洗浄する点は共通であるが、湯温の状況によって洗浄過程に進行するかロックモードとなるかに別れる。
【００４０】
同図の（ａ）の例は洗浄過程にそのまま進める場合であり、これは洗浄スイッチ２ａをオンして１秒後の湯温が４５℃以下のときには、この時点で吐水用バルブユニット４が一旦閉弁し、その後ノズルモータ６ａを作動させて伸縮ノズル６ｂをその洗浄位置まで移動させる。そして、伸縮ノズル６ｂが洗浄位置に設定されると、再び吐水用バルブユニット４が開弁し、伸縮ノズル６ｂによる局部洗浄が行われる。
【００４１】
また、洗浄スイッチ２ａをオンして１秒経過したときの湯温が４５℃以上のときには、同図の（ｂ）及び（ｃ）の二つのパターンに別れた制御が行われる。
【００４２】
同図の（ｂ）は洗浄スイッチ２ａのオンから１秒経過したときの湯温が４５℃以上であって、湯温が４５℃になってから５秒未満で４５℃未満になったときのパターンである。このパターンでは、吐水用電磁弁４ｃは湯温が４５℃未満になるまで開弁状態を保って前洗浄し、その後一旦閉弁する。そして、同図（ａ）のパターンと同様に、ノズルモータ６ａが作動して伸縮ノズル６ｂを洗浄位置に移動させ、その後局部洗浄が行われる。
【００４３】
更に、同図の（ｃ）はロックモードに設定されるパターンであり、これは洗浄スイッチ２ａのオンから１秒後の湯温が４５℃以上であって、その後も４５℃以上の湯温が４５℃を超えた時点から５秒間継続して検出されると、ロックモードに移行して前洗浄を即刻終了させるというものである。そして、このロックモードでは、吐水用バルブユニット４が閉弁する。
【００４４】
このように、局部に至らないノズル洗浄時においては、実際の吐水に好適な上限温度である吐水温度を越えても、その温度が一時変更温度（本実施例では人体に吐水されないため無限大を一時変更温度としている）を越えない限りは５秒間という比較的長い時間継続しないとロックモードに至らないようにすることで、吐水開始初期に故障等の異常でないのに過渡的な温度変動で無用なロックモードに陥ることが防止される。
【００４５】
以上の図５の（ａ）及び（ｂ）の湯温のパターンであれば、伸縮ノズル６ｂの洗浄位置への伸出の後に局部洗浄へと移行していく。そして、局部洗浄の過程は、湯温の条件によって図６〜図８に示す５つのパターンに別れる。
【００４６】
局部洗浄過程では、伸縮ノズル６ｂがその洗浄位置に設定された後、湯温が最適洗浄温度の上限として設定できる４５℃以上にならない限り、停止スイッチ２ｃを押すまで洗浄が継続される。図６の（ａ）のパターンはこれに相当するものであり、先の前洗浄の過程に続いて伸縮ノズル６ｂがその洗浄位置に到達した後に吐水用バルブユニット４が開弁し、洗浄を終了したいときに停止スイッチ２ｃを押せば吐水用バルブユニット４は閉弁して洗浄水の供給が停止し、その後ノズルモータ６ａの逆回転によって伸縮ノズル６ｂはその収納位置に戻る。
【００４７】
また、局部洗浄のときの吐水用バルブユニット４が開弁後して５秒経過する間に湯温が４５℃以上になったときには、図６の（ｂ）及び図７の（ａ）のパターンをとる。
【００４８】
図６の（ｂ）は洗浄開始の期間で湯温が４５℃になってもそのまま直ぐにロックモードに移行せず、４５℃の閾値を５５℃までに一時的に引き上げる。そして、湯温が４５℃になった時刻から２秒経過する間に、新たに高温側に設定した５５℃の閾値を湯温が超えてしまうと、吐水用バルブユニット４を閉弁してロックモードへ移行させる。これにより、洗浄水の供給は停止され、ノズルモータ６ａの逆回転によって伸縮ノズル６ｂはその収納位置へ戻る。
【００４９】
図７の（ａ）は局部洗浄過程での吐水用バルブユニット４の開弁時刻から５秒未満の時間域で、湯温が４５℃以上となり２秒以内でその後温度降下して４５℃以下まで戻り再び４５℃以上になる湯温の変動に対するパターンである。
【００５０】
このパターンでは、図６の（ｂ）の例と同様に最初に湯温が４５℃を超える時点でロックモードへの移行の閾値が２秒間５５℃に変更される。このため、洗浄パターンは継続されるが、先の時間域の中で温度降下し再度４５℃を超えることがあれば、最初に４５℃を超えた時点から２秒経過した時に４５℃を超えていれば、この時点でロックモードに移行し、吐水用バルブユニット４を閉弁する。
【００５１】
図７の（ｂ）は同図（ａ）の変容例であり、開弁時刻から５秒間の間に湯温が４５℃を越える時点でロックモードへの閾値が同様に５５℃に変更され、その後２秒以内に４５℃よりも低下した後であって開弁時刻から５秒以内のときに再び４５℃を越えたときも閾値は５５℃に変更される。このような温度変動に対する閾値の５５℃への変更は、開弁時刻後の５秒間では回数に制限なく繰り返し行われる点が図７の（ａ）のパターンと異なる。そして、湯温４５℃以上が２秒経過した時点では、閾値を４５℃に戻すことによって、ロックモードへ移行する。
【００５２】
更に、図８は局部洗浄過程において、吐水用バルブユニット４の開弁時刻から５秒を経過した時点で始めて湯温が４５℃を超えるときのロックモードへの移行のパターンである。
【００５３】
このパターンにおいては、吐水用バルブユニット４が開弁してから５秒以降では、吐水初期の過渡期間を経過した定常状態とみなされるため、湯温が４５℃を超えた時点で直ぐにロックモードに移行させ、吐水用バルブユニット４を閉弁して局部洗浄を終了させる。
【００５４】
以上の各例で述べたように、局部洗浄過程においては、伸縮ノズル６ｂから洗浄水が噴射される初期の５秒未満の間では、通常の洗浄においてはロックモードに移行される４５℃を湯温が超えても、閾値を一時的に高く設定してロックモードへの移行を見合わす。これは、洗浄の初期過程では洗浄水の温度変動があって定常状態への過渡期であることから、４５℃を超えても結果的には最適温度に収束して定常状態に移行するという可能性を考慮した処置である。
【００５５】
したがって、サーモスタットミキシングバルブ３では環境温度が低いときに初期の湯温が高くなることが避けられなくても、洗浄初期での閾値の一時的な上昇設定によって、頻繁にロックモードへ移行されることがない。このため、操作のし直し等の手間がないほか、故障と勘違いしたりする等の問題もなくなる。そして、洗浄開始から５秒間は通常の上限臨界温度を２秒間５５℃に変更するが、５秒経過した後は、閾値は通常の上限臨界温度の４５℃に固定されてしまうので、長く洗浄しているときに温度変動を生じて洗浄水が異常高温になった場合では、ロックモードに直ぐに移行されるので、高温の洗浄水を浴びてしまうことはない。
【００５６】
図９は以上の洗浄水温度のパターンの制御を実行するためのフローである。
【００５７】
このフローでは、図６〜図８で示したように、洗浄開始から５秒経過した後の時間域で湯温が４５℃を超えるときにロックモードに移行され、また洗浄開始から５秒未満の期間ではロックモードへの移行の閾値が４５℃から５５℃に変更される制御が実行される。すなわち、このフローのパターンでは、洗浄開始後に洗浄水温度がその設定値まで定常化していく過渡期における無用なロックを避ける洗浄水の供給が可能である。
【００５８】
図１０は給水，給湯圧の変動等による異常時の温度変動に対処するため、洗浄水吐水の全時間帯において、検知温度が洗浄の最適上限温度である４５℃を瞬間的に超えたときでも、この時点から最大で１．３秒の期間では、閾値としての一時変更温度を無限大とし、ロックモードへの移行を避けるフローである。なお、このフローは制御の簡略化のために一時変更温度以上か否かを判断するフローが省略されているが、それは閾値温度変更時間が極めて微小時間でありこの時間であれば急激な温度変更は考えられないため、一時変更温度としては見かけ上無限大とした例である。
【００５９】
すなわち、図１１の（ａ）に示すように、洗浄の期間中に給水や給湯圧の変動等によって３７．５℃程度に維持されていた湯温が急激に上昇して４５℃以上となっても、上昇開始から１．３秒後には４５℃以下に復帰していれば、ロックモードへの移行はなく、洗浄が継続される。そして、同図の（ｂ）に示すように、温度上昇の開始時期から１．３秒後において４５℃を超えていれば、ロックモードへと移行する。換言すれば、図９の過渡期におけるロックモードに対する制御に対して、過渡期を過ぎた定常温度域における洗浄水温度の変動に対処するための制御がこのフローによって実行される。
【００６０】
このように、洗浄途中の段階で、瞬間的な温度変動を生じても、１．３秒という時間幅を基準としてこの変動が継続的なものか一時的なものかを判別し、前者であれば異常高温の吐出の可能性があることから吐水を停止し、後者であれば洗浄に支障のない程度の温度変動として捉えて洗浄を継続する。すなわち、１．３秒という短い期間であれば、どんなに急激な温度変化が生じても人体に火傷等の悪影響を及ぼすことはない。したがって、給水，給湯圧の変動が避けられない設備であっても、無用なロックによる吐水停止をなくすことができ、使い勝手の向上が図られる。
【００６１】
更に、図１２は、図９及び図１０のフローを合成したものであり、過渡期及びこれを経過した後に定常温度域での温度変動に総合的に対処可能としたものである。
【００６２】
このフローでは、洗浄の開始後の５秒間では、図１０のフローに比べて最適洗浄温度４５℃を超えたときに５５℃の一時変更温度を設け、その代わりに変更する時間幅を２秒に拡大させている。そして、洗浄過程では、一般に、洗浄開始直後の温度変動が大きい傾向にあるが、このフローを適用することによってその洗浄開始初期での無用なロックモードの防止の制御が行われる。
【００６３】
なお、実施例では、高温検知時の局部への洗浄水の停止として、吐水用電磁弁４ｃを閉じて伸縮ノズル６ｂからの吐水停止する構成であるが、これに代えて、伸縮ノズル６ｂへの流路以外の部分を開放したり流量調整用の弁を絞って伸縮ノズル６ｂから吐出される洗浄水の水勢を弱めることによって、局部に洗浄水が届かないようにすることも可能である。
【００６４】
また、衛生洗浄装置の洗浄水の加熱供給としては、従来例及び本発明の実施例で示したサーモスタットミキシングバルブ以外に、給水を加熱してそのまま洗浄ノズルに送り込む瞬間湯沸かし式の熱交換器や、加熱して湯を溜めておく貯湯式の温水タンク等がある。このような熱交換器や温水タンクにおいても、洗浄初期において湯温が一時的に高くなって定常状態に移行していく加熱パターンとなる場合がある。したがって、サーモスタットミキシングバルブに限らず、各種の加熱方式の衛生洗浄装置においても、本発明は同様の作用効果を達成し得る。
【００６５】
【発明の効果】
本発明では、たとえば洗浄の開始初期で発生しやすい洗浄水温度の大きな変動に対して、吐水停止温度が所定時間継続して検出されたときに洗浄水の吐出を停止するようにするので、過渡期での比較的安定性のない温度変動に対してロックモードに陥る度合いが少なくなる。このため、たとえばサーモスタットミキシングバルブを洗浄水の給水系に備えるものであっても、環境温度が低いときに頻発していた機能ロックを避けることができ、無用な機能の停止による使用者側の混乱を防ぐことができる。
【００６６】
また、第１の閾値温度である吐水停止温度よりも高い第２の閾値温度を設定すれば、温度だけでなく時間的制御要素が付加されることになり、単なる温水温度の飛び上がり現象と異常の防止とを見極めることができ、より一層最適な温度制御が可能となり、快適に使用できる。
【図面の簡単な説明】
【図１】本発明の衛生洗浄装置を備えた便器設備を示す図である。
【図２】衛生洗浄装置のケーシングの内部構造を示す概略平面図である。
【図３】サーモスタットミキシングバルブからの捨湯及び洗浄ノズルへの給水系統を示す概略図である。
【図４】便座への人の着座後に行われる捨湯に関しての湯温とその他の機能の関係を示す図である。
【図５】捨湯に引き続いて行われる伸縮ノズルのクリーニング時での湯温とその他の機能の関係を示す図である。
【図６】局部洗浄過程における湯温とその他の機能の関係を示す図である。
【図７】図６の例とは異なる湯温とその他の機能の関係を示す図である。
【図８】開弁から５秒後を経過した時点で始めて湯温が４５℃を越えるときのロックモードへの移行を示す図である。
【図９】本発明における制御のフローの基本的な例を示す図である。
【図１０】最適上限温度４５℃を超えても１．３秒間経過するまでの状況を見てロック又は洗浄継続を実行する例のフローである。
【図１１】図１０のフローにおける温度変化とロック又は洗浄継続を説明するための図である。
【図１２】図１１のフローに閾値温度を無視してロックモードに移行するステップを合成したフローである。
【符号の説明】
１    ケーシング                            ６    ノズルハウジング
１ａ  便座                                  ６ａ  ノズルモータ
２    操作盤                                ６ｂ  伸縮ノズル
２ａ  洗浄スイッチ                          ６ｃ  供給管
２ｂ  洗浄スイッチ                          ７    コントローラ
２ｃ  停止スイッチ                          ７ａ  着座スイッチ
２ｆ  表示灯                                ８    温度センサ
３    サーモスタットミキシングバルブ      １１    ニードル弁
４    吐水用バルブユニット
５    捨湯用バルブユニット
【図１】
0003580434.tif 000002
【図２】
0003580434.tif 000003
【図３】
0003580434.tif 000004
【図４】
0003580434.tif 000005
【図５】
0003580434.tif 000006
【図６】
0003580434.tif 000007
【図７】
0003580434.tif 000008
【図８】
0003580434.tif 000009
【図９】
0003580434.tif 000010
【図１０】
0003580434.tif 000011
【図１１】
0003580434.tif 000012
【図１２】
0003580434.tif 000013